【手続補正書】
【提出日】平成26年6月19日(2014.6.19)
【手続補正１】
【補正対象書類名】特許請求の範囲
【補正対象項目名】全文
【補正方法】変更
【補正の内容】
【特許請求の範囲】
【請求項１】
記憶されている多数の画像データを表示画面にタイムライン表示させる画像表示方法において、
前記多数の記憶されている画像データを順に表示対象としてワークメモリに読み込む第１の工程と、
前記表示対象の画像データの価値を確認する第２の工程と、
前記表示対象の画像データに、各々が前記表示画面に設定されているとともに各々に画像の移動速度として異なる速度が決められている複数の列のうちで、前記確認した価値に応じた特定の列を割り当てる第３の工程と、
前記ワークメモリに読み込んだ前記表示対象の画像データを、表示バッファ内の前記特定の列に対応する位置に配置する第４の工程と、
前記第１の工程から前記第４の工程を繰り返すことによって、前記表示バッファ内で前記複数の列にそれぞれ対応する全ての位置に複数の画像データを配置した後、前記表示バッファ内の全ての画像データを一画面分の画像データとし、前記表示画面に複数の画像を行列形状に配置した状態で表示する第５の工程と、
前記複数の列のいずれかの前記移動速度に応じた移動タイミングが到来する毎に、前記表示画面内で当該移動タイミングが到来した特定の列に配置されている複数の画像の全てを、当該列に沿って予め決められている距離だけ同一方向へ移動させるとともに、当該移動に伴い表示画面から表示領域が外れる画像データを前記表示バッファから破棄する第６の工程と、
を含むことを特徴とする画像表示方法。
【請求項２】
コンピュータに、請求項１記載の各工程を実行させるプログラム。
【請求項３】
記憶されている多数の画像データを表示画面にタイムライン表示させる画像表示方法において、
前記多数の記憶されている画像データを順に表示対象としてワークメモリに読み込む第１の工程と、
前記表示対象の画像データの価値を確認する第２の工程と、
前記表示対象の画像データに、各々が前記表示画面の中央部から放射状をなして外側へ向かうとともに各々に画像の移動速度として異なる速度が決められている複数の放射方向のうちで、前記確認した価値に応じた特定の放射方向を割り当てる第３の工程と、
前記ワークメモリに読み込んだ前記表示対象の画像データを表示バッファ内の前記特定の放射方向に対応する位置に配置する第４の工程と、
前記第１の工程から前記第４の工程を繰り返すことによって、前記表示バッファ内で前記複数の放射方向にそれぞれ対応する全ての位置に複数の画像データを配置した後、前記表示バッファ内の全ての画像データを一画面分の画像データとし、前記表示画面に複数の画像を放射状に配置した状態で表示する第５の工程と、
前記複数の放射方向のいずれかの前記移動速度に応じた移動タイミングが到来する毎に、前記表示画面内で当該移動タイミングが到来した特定の放射方向に配置されている複数の画像の全てを、当該放射方向に沿って予め決められている距離だけ同一方向へ移動させるとともに、当該移動に伴い表示画面から表示領域が外れる画像データを前記表示バッファから破棄する第６の工程と、
を含むことを特徴とする画像表示方法。
【請求項４】
コンピュータに、請求項３記載の各工程を実行させるプログラム。
【請求項５】
記憶されている多数の画像データを表示画面にタイムライン表示させる画像表示方法において、
前記多数の画像データの各々を順に表示対象としてワークメモリに読み込む第１の工程と、
前記表示対象の画像データの価値を確認する第２の工程と、
前記表示対象の画像データに、前記表示画面において同心状をなすとともに各々に画像の移動速度として異なる速度が決められている複数の楕円領域のうちで、前記確認した価値に応じた特定の楕円領域を割り当てる第３の工程と、
前記ワークメモリに読み込んだ前記表示対象の画像データを表示バッファ内の前記特定の楕円領域に対応する位置に配置する第４の工程と、
前記第１の工程から前記第４の工程を繰り返すことによって、前記表示バッファ内で前記複数の楕円領域にそれぞれ対応する全ての位置に複数の画像データを配置した後、前記表示バッファ内の全ての画像データを一画面分の画像データとし、前記表示画面に複数の画像を同心円状に配置した状態で表示する第５の工程と、
前記複数の楕円領域のいずれかの前記移動速度に応じた移動タイミングが到来する毎に、前記表示画面内で当該移動タイミングが到来した特定の楕円領域に配置されている複数の画像の全てを、当該特定の楕円領域の周方向に沿って予め決められている距離だけ同一方向へ移動させる第６の工程と、
を含むことを特徴とする画像表示方法。
【請求項６】
コンピュータに、請求項５記載の各工程を実行させるプログラム。
【請求項７】
画像メモリと、ワークメモリと、表示バッファとを備え、前記画像メモリに記憶されている多数の画像データを表示画面にタイムライン表示させる画像表示システムにおいて、
前記画像メモリに記憶されている多数の画像データの各々を順に表示対象として前記ワークメモリに読み込む第１の制御手段と、
前記表示対象の画像データの価値を確認する第２の制御手段と、
前記表示対象の画像データに、前記表示画面内に複数設定されているとともに各々に画像の移動速度として異なる速度が決められている複数の移動経路のうちで、前記確認した価値に応じた特定の移動経路を割り当てる第３の制御手段と、
前記ワークメモリに読み込まれた前記表示対象の画像データを前記表示バッファ内の前記特定の移動経路に対応する位置に配置する第４の制御手段と、
前記第１の制御手段ないし前記第４の制御手段により前記表示バッファ内で前記複数の移動経路にそれぞれ対応する全ての位置に配置された複数の画像データの全てを一画面分の画像データとし、前記表示画面に複数の画像を前記複数の移動経路の各々に配置した状態で表示する第５の制御手段と、
前記複数の移動経路のいずれかの前記移動速度に応じた移動タイミングが到来する毎に、前記表示画面内で当該移動タイミングが到来した特定の移動経路に配置されている複数の画像の全てを、当該特定の移動経路に沿って予め決められている距離だけ同一方向へ移動させる第６の制御手段と、
を含むことを特徴とする画像表示システム。
【手続補正２】
【補正対象書類名】明細書
【補正対象項目名】００１３
【補正方法】変更
【補正の内容】
【００１３】
前記課題を解決するため、請求項１記載の発明は、記憶されている多数の画像データを表示画面にタイムライン表示させる画像表示方法において、前記多数の記憶されている画像データを順に表示対象としてワークメモリに読み込む第１の工程と、前記表示対象の画像データの価値を確認する第２の工程と、前記表示対象の画像データに、各々が前記表示画面に設定されているとともに各々に画像の移動速度として異なる速度が決められている複数の列のうちで、前記確認した価値に応じた特定の列を割り当てる第３の工程と、前記ワークメモリに読み込んだ前記表示対象の画像データを、表示バッファ内の前記特定の列に対応する位置に配置する第４の工程と、前記第１の工程から前記第４の工程を繰り返すことによって、前記表示バッファ内で前記複数の列にそれぞれ対応する全ての位置に複数の画像データを配置した後、前記表示バッファ内の全ての画像データを一画面分の画像データとし、前記表示画面に複数の画像を行列形状に配置した状態で表示する第５の工程と、前記複数の列のいずれかの前記移動速度に応じた移動タイミングが到来する毎に、前記表示画面内で当該移動タイミングが到来した特定の列に配置されている複数の画像の全てを、当該列に沿って予め決められている距離だけ同一方向へ移動させるとともに、当該移動に伴い表示画面から表示領域が外れる画像データを前記表示バッファから破棄する第６の工程と、を含むことを特徴とする画像表示方法を提供するものである。
請求項３記載の発明は、記憶されている多数の画像データを表示画面にタイムライン表示させる画像表示方法において、前記多数の記憶されている画像データを順に表示対象としてワークメモリに読み込む第１の工程と、前記表示対象の画像データの価値を確認する第２の工程と、前記表示対象の画像データに、各々が前記表示画面の中央部から放射状をなして外側へ向かうとともに各々に画像の移動速度として異なる速度が決められている複数の放射方向のうちで、前記確認した価値に応じた特定の放射方向を割り当てる第３の工程と、前記ワークメモリに読み込んだ前記表示対象の画像データを表示バッファ内の前記特定の放射方向に対応する位置に配置する第４の工程と、前記第１の工程から前記第４の工程を繰り返すことによって、前記表示バッファ内で前記複数の放射方向にそれぞれ対応する全ての位置に複数の画像データを配置した後、前記表示バッファ内の全ての画像データを一画面分の画像データとし、前記表示画面に複数の画像を放射状に配置した状態で表示する第５の工程と、前記複数の放射方向のいずれかの前記移動速度に応じた移動タイミングが到来する毎に、前記表示画面内で当該移動タイミングが到来した特定の放射方向に配置されている複数の画像の全てを、当該放射方向に沿って予め決められている距離だけ同一方向へ移動させるとともに、当該移動に伴い表示画面から表示領域が外れる画像データを前記表示バッファから破棄する第６の工程と、を含むことを特徴とする画像表示方法を提供するものである。
請求項５記載の発明は、記憶されている多数の画像データを表示画面にタイムライン表示させる画像表示方法において、前記多数の画像データの各々を順に表示対象としてワークメモリに読み込む第１の工程と、前記表示対象の画像データの価値を確認する第２の工程と、前記表示対象の画像データに、前記表示画面において同心状をなすとともに各々に画像の移動速度として異なる速度が決められている複数の楕円領域のうちで、前記確認した価値に応じた特定の楕円領域を割り当てる第３の工程と、前記ワークメモリに読み込んだ前記表示対象の画像データを表示バッファ内の前記特定の楕円領域に対応する位置に配置する第４の工程と、前記第１の工程から前記第４の工程を繰り返すことによって、前記表示バッファ内で前記複数の楕円領域にそれぞれ対応する全ての位置に複数の画像データを配置した後、前記表示バッファ内の全ての画像データを一画面分の画像データとし、前記表示画面に複数の画像を同心円状に配置した状態で表示する第５の工程と、前記複数の楕円領域のいずれかの前記移動速度に応じた移動タイミングが到来する毎に、前記表示画面内で当該移動タイミングが到来した特定の楕円領域に配置されている複数の画像の全てを、当該特定の楕円領域の周方向に沿って予め決められている距離だけ同一方向へ移動させる第６の工程と、を含むことを特徴とする画像表示方法を提供するものである。
請求項７記載の発明は、画像メモリと、ワークメモリと、表示バッファとを備え、前記画像メモリに記憶されている多数の画像データを表示画面にタイムライン表示させる画像表示システムにおいて、前記画像メモリに記憶されている多数の画像データの各々を順に表示対象として前記ワークメモリに読み込む第１の制御手段と、前記表示対象の画像データの価値を確認する第２の制御手段と、前記表示対象の画像データに、前記表示画面内に複数設定されているとともに各々に画像の移動速度として異なる速度が決められている複数の移動経路のうちで、前記確認した価値に応じた特定の移動経路を割り当てる第３の制御手段と、前記ワークメモリに読み込まれた前記表示対象の画像データを前記表示バッファ内の前記特定の移動経路に対応する位置に配置する第４の制御手段と、前記第１の制御手段ないし前記第４の制御手段により前記表示バッファ内で前記複数の移動経路にそれぞれ対応する全ての位置に配置された複数の画像データの全てを一画面分の画像データとし、前記表示画面に複数の画像を前記複数の移動経路の各々に配置した状態で表示する第５の制御手段と、前記複数の移動経路のいずれかの前記移動速度に応じた移動タイミングが到来する毎に、前記表示画面内で当該移動タイミングが到来した特定の移動経路に配置されている複数の画像の全てを、当該特定の移動経路に沿って予め決められている距離だけ同一方向へ移動させる第６の制御手段と、を含むことを特徴とする画像表示システムを提供するものである。
また、他の発明は、コンピュータに、請求項１、３または５いずれかに記載の各工程を実行させるプログラムを提供するものである。
【手続補正３】
【補正対象書類名】明細書
【補正対象項目名】００１５
【補正方法】変更
【補正の内容】
【００１５】
【図１】本発明の各実施形態に共通する画像表示システムのネットワーク系の構成を示すブロック図である。
【図２】各実施形態に共通する画像サービスサイトを実現するサーバーの概略構成を示すブロック図である。
【図３】ユーザーＩＤの属性情報を示す図である。
【図４】画像ＩＤの属性情報を示す図である。
【図５】各実施形態に共通する端末とサーバー間のデータのやり取りを示すための工程図である。
【図６】サーバーにおける絵画変換処理を説明するためのフローチャートである。
【図７】各実施形態に共通する画像のダウンロードに関するサーバーの動作を説明するための図である。
【図８】各実施形態においてサーバーが多数の作品を一覧表示する際の画像表示処理を示すフローチャートである。
【図９】同画像表示処理の他の例を示すフローチャートである。
【図１０】図８のページ表示処理を示すフローチャートである。
【図１１】第１の実施形態における複数作品のタイムライン表示を説明するための図である。
【図１２】第２の実施形態におけるページ表示処理を示すフローチャートである。
【図１３】画像の価値に応じたサイズの違いを示す説明図である。
【図１４】第２の実施形態における複数作品のタイムライン表示を説明するための図である。
【図１５】第３の実施形態におけるページ表示処理を示すフローチャートである。
【図１６】第３の実施形態における複数作品のタイムライン表示を説明するための図である。
【手続補正４】
【補正対象書類名】明細書
【補正対象項目名】００６７
【補正方法】変更
【補正の内容】
【００６７】
画面表示処理に際してＣＰＵ２０は、サーバー１１に多数投稿され作品エリア２０２に記憶されている多数の作品の画像データを一覧表示するためのページ処理を行う（ステップＳＣ３０１）。係るステップＳＣ３０１の処理が、図５に示した工程中の一覧表示処理（ＳＣ４）であり、画像サービスサイト１０にアクセスしているユーザーの端末１の画面上に、画像データにより表される多数の作品を表示させる処理である。
【手続補正５】
【補正対象書類名】明細書
【補正対象項目名】００６８
【補正方法】変更
【補正の内容】
【００６８】
ここで、ステップＳＣ３０１のページ表示処理は、多数の作品を時間とともに流れるように表示させるタイムライン表示を行う処理である。本実施形態のタイムライン表示は、図１１（Ａ）〜（Ｃ）に示したように、多数の作品をページ内（１画面内）に４行×４列に配列させるとともに、各列の作品群を、列毎に決められている所定の速度で上から下に向って（Ｙ方向）に流れるように移動させて表示するものである。また、タイムライン表示に際して各作品の表示間隔は予め決められた間隔で固定される。
【手続補正６】
【補正対象書類名】明細書
【補正対象項目名】００８０
【補正方法】変更
【補正の内容】
【００８０】
これにより端末１の表示画面上には、例えば図１１（Ａ）に示したように、作品Ａ〜Ｐまで１６枚の作品（正確には作品の縮小画像）が表示されることとなる。なお、各列の作品の表示順は上から下へ向かって新着順である。
【手続補正７】
【補正対象書類名】明細書
【補正対象項目名】００８５
【補正方法】変更
【補正の内容】
【００８５】
そして、ＣＰＵ２０は、新たな画像データの表示列が今回の移動対象であれば、つまり新たな画像データの表示列に空きがあれば（ステップＳＣ４１２：ＹＥＳ）、当該新たな画像データを作品エリア２０２から読み込む（ステップＳＣ４１３）。
【手続補正８】
【補正対象書類名】明細書
【補正対象項目名】０１１３
【補正方法】変更
【補正の内容】
【０１１３】
引き続き、ＣＰＵ２０は、ステップＳＣ５０４で確認した価値に応じて、ビットマップ化した作品を、図１４（Ｂ）に示した８方向（Ｖ１，Ｖ２，Ｖ３，・・・，Ｖ８）のどの放射方向に流す（表示する）のか決定する（ステップＳＣ５０７）。ここで作品を流す速度は放射方向毎に予め決められている。なお、以下の説明では、各放射方向において作品を流す速度が、Ｖ１，Ｖ２，Ｖ３，・・・，Ｖ８の順に速度が遅くなっているものとする。
【手続補正９】
【補正対象書類名】明細書
【補正対象項目名】０１１８
【補正方法】変更
【補正の内容】
【０１１８】
やがて、ＣＰＵ２０は、表示バッファ３０における各放射方向に応じた全ての位置に作品が配置できると（ステップＳＣ５０２：ＹＥＳ）、表示バッファ３０内の全画像データ、つまり一画面分の画像をページ表示する（ステップＳＣ５２１）。
【手続補正１０】
【補正対象書類名】明細書
【補正対象項目名】０１２７
【補正方法】変更
【補正の内容】
【０１２７】
一方、上記とは異なり、新たな画像データを配置すべき放射方向が移動対象の放射方向と一致していない場合（ステップＳＣ５１４：ＮＯ）、又はその放射方向に、ステップＳＣ５１２で決定した表示サイズの画像データを配置可能な空きがなければ（ステップＳＣ５１５：ＮＯ）、新たな画像データに関する画像ＩＤと、決定した放射方向を示す情報（方向番号等）と、決定した表示サイズとを対応させて表示待ちリストへ追加する（ステップＳＣ５１６）。
【手続補正１１】
【補正対象書類名】明細書
【補正対象項目名】０１４３
【補正方法】変更
【補正の内容】
【０１４３】
以後、ＣＰＵ２０は、移動タイミングが到来する毎に、ステップＳＣ６０９〜ＳＣ６２１の処理を繰り返す。係る処理については、第２の実施形態と同様である。これにより各作品を、各々が配置されている楕円領域毎に決められている異なる速度で円周方向に流れるように表示する。その際、楕円領域毎に同一の価値レベルの作品が、所定の角度位置に新たに表示される。
【手続補正１２】
【補正対象書類名】図面
【補正対象項目名】図２
【補正方法】変更
【補正の内容】
【図２】
2013015923.tif 000001
【手続補正１３】
【補正対象書類名】図面
【補正対象項目名】図６
【補正方法】変更
【補正の内容】
【図６】
2013015923.tif 000002
【手続補正１４】
【補正対象書類名】図面
【補正対象項目名】図８
【補正方法】変更
【補正の内容】
【図８】
2013015923.tif 000003
【手続補正１５】
【補正対象書類名】図面
【補正対象項目名】図１０
【補正方法】変更
【補正の内容】
【図１０】
2013015923.tif 000004
【手続補正１６】
【補正対象書類名】図面
【補正対象項目名】図１２
【補正方法】変更
【補正の内容】
【図１２】
2013015923.tif 000005
【手続補正１７】
【補正対象書類名】図面
【補正対象項目名】図１５
【補正方法】変更
【補正の内容】
【図１５】
2013015923.tif 000006